(57)【要約】【課題】  ディスプレイの外周部に枠状の照明をするものの全体の小形化ができて、スペースに限りのあるところへの設置が容易にできるようにする。【解決手段】  透過形液晶ディスプレイ６の液晶１９を挟んで位置する偏光板２４，２５のうちの一方側の偏光板２４を、他方側の偏光板２５より小さく設け、その一方側の偏光板２４の外周外側の偏向板のない部位と他方側の偏光板２５の外周との間の部分（透光部２６）から透光して枠状の照明をするようにした。【選択図】  図１
2006058381.tif 000002
【特許請求の範囲】
【請求項１】
透過形液晶ディスプレイの液晶を挟んで位置する偏光板のうちの一方側の偏光板を、他方側の偏光板より小さく設け、その一方側の偏光板の外周外側の偏光板のない部位と他方側の偏光板の外周との間の部分から透光して枠状の照明をするようにしたことを特徴とする表示装置。
【発明の詳細な説明】
【技術分野】
【０００１】
本発明は、ディスプレイの外周部に枠状の照明をする表示装置に関する。
【背景技術】
【０００２】
従来より、例えば車両用、特には自動車用の表示装置において、各種の表示をするディスプレイの外周部に枠状の照明をするには、ディスプレイの外郭の外側に枠状の透光部を設けて、それに裏側から光を透過させることにより、行っていた。
【特許文献１】特開２０００−２５００５０号公報
【発明の開示】
【発明が解決しようとする課題】
【０００３】
しかしながら、上記従来のものにおいては、ディスプレイの外郭より外側にしか枠状の照明をすることができず、その結果、表示装置の全体が大形化し、スペースに限りのあるところへの設置が困難となっていた。
【０００４】
本発明は上述の事情に鑑みてなされたものであり、従ってその目的は、ディスプレイの外周部に枠状の照明をするものの全体の小形化ができて、スペースに限りのあるところへの設置が容易にできる表示装置を提供するにある。
【課題を解決するための手段】
【０００５】
上記目的を達成するために、本発明の表示装置は、透過形液晶ディスプレイの液晶を挟んで位置する偏光板のうちの一方側の偏光板を、他方側の偏光板より小さく設け、その一方側の偏光板の外周の偏光板のない部位と他方側の偏光板の外周との間の部分から透光して枠状の照明をするようにしたことを特徴とする。
【発明の効果】
【０００６】
上記手段によれば、ディスプレイの外郭よりも内側に透光部が設けられ、この透光部を透光して枠状の照明がなされる。よって、ディスプレイの外周部に枠状の照明をするものの全体の小形化ができ、スペースに限りのあるところへの設置が容易にできるようになる。
【発明を実施するための最良の形態】
【０００７】
以下、本発明の一実施例（一実施形態）につき、図面を参照して説明する。
まず、図２には、車両用、特には自動車用の表示装置の１つを示しており、この場合、風の吹出し方向と風量とを表示する風向・風量表示装置であって、人の表示１と、人の頭部への風向と風量の表示２と、人の足元への風向と風量の表示３と、自動車のフロントウィンドの表示４と、フロントウィンドへの風向と風量の表示５をする液晶ディスプレイ６を使用している。なお、風量は、それぞれ、風向を表示する矢印の数でそれを表示するようになっている。
【０００８】
上記液晶ディスプレイ６は、図３に示すように、前面をクリアカバー７で覆っており、クリアカバー７は内枠８と外枠９とで囲い、更に、その周囲にクリアリング１０を配設して、該クリアリング１０の内周部１０ａと、外枠９の前部、及びクリアカバー７のほとんど全部を、パネル１１の円形開口１２から前方に露出させている。
【０００９】
そして、液晶ディスプレイ６の裏側には、リフレクタ１３，１４を配設しており、更にその裏側には回路基板１５を配設していて、この回路基板１５が必要な回路パターン（図示せず）を有すると共に、ランプ１６，１７，１８を実装して有している。このランプ１６，１７，１８はバックライトとしての発光体であり、ランプ１６が直接に液晶ディスプレイ６の前記表示１〜５の存在する部分に投光すると共に、リフレクタ１３を介して同じく液晶ディスプレイ６の前記表示１〜５の存在する部分に投光し、ランプ１７，１８が直接に液晶ディスプレイ６の外周部に投光すると共に、リフレクタ１４を介して同じく液晶ディスプレイ６の外周部に投光するようになっている。
【００１０】
ここで、図１は、液晶ディスプレイ６単体の構造を示している。この図１で明らかなように、液晶ディスプレイ６は、液晶１９を、ガラス板など透明板２０に透明電極膜２１を付着して成る透明電極板２２，２３で挟み、更にそれらを、直線偏光角度の異なる偏光板２４，２５で挟んだもので、透明電極板２２，２３により電圧をかけると、液晶１９における液晶分子の配向が変わって、前記ランプ１６の発した光が偏光板２４，２５を通って透光し、又は反対に遮光する、透過形であり、それによって、前記表示１〜５の表示を選択的にするようになっている。
【００１１】
そして、この液晶ディスプレイ６の偏光板２４，２５に関しては、そのうちの一方側の偏光板２４を他方側の偏光板２５より小さく（例えば図４に示すように、円形の一方側の偏光板２４を、円形の他方側の偏光板２５より寸法Ｌだけ径小に）設けており、これによって、一方側の偏光板２４の外周と他方側の偏光板２５の外周との間に、偏光板が液晶１９の片側（この場合、偏光板２５側）にしかないことにより常に（透明電極板２２，２３により電圧をかけなくても）透光する透光部２６を形成している。
【００１２】
しかして、液晶ディスプレイ６は、上記透光部２６を、前記リフレクタ１３，１４の図３に示す間隙２７とクリアカバー７のフランジ７ａとの間に位置させて、クリアリング１０の内周部１０ａに臨ませている。又、その折り、偏光板２５がクリアカバー７側となるようにしている。
【００１３】
以上の構成で、ランプ１７，１８の発した光が、液晶ディスプレイ６の透光部２６、すなわち一方側の偏光板２４の外周外側の偏光板のない部位と他方側の偏光板２５の外周との間の部分を透って、更にクリアリング１０の内周部１０ａを透るものであり、これによって、液晶ディスプレイ６の外周部に枠状（リング状）の照明がなされる。
【００１４】
このように液晶ディスプレイ６の外周部に枠状の照明をなすものにあって、透光部２６は液晶ディスプレイ６の一方側の偏光板２４の外周外側の偏光板のない部位と他方側の偏光板２５の外周との間に形成したものであり、よって、該透光部２６は液晶ディスプレイ６の外郭よりも内側に設けられている。かくして、従来の、ディスプレイの外郭よりも外側に透光部が設けられたものより、液晶ディスプレイ６の外周部に枠状の照明をするものの全体の小形化ができる。よって、スペースに限りのあるところへの設置も容易にできるようになる。
【００１５】
なお、本発明は自動車用など車両用の表示装置に限られず、それ以外の表示装置にも同様に適用して実施することができる。
そのほか、本発明は上記し且つ図面に示した実施例にのみ限定されるものではなく、要旨を逸脱しない範囲内で適宜変更して実施し得る。
【図面の簡単な説明】
【００１６】
【図１】本発明の一実施例を示す液晶ディスプレイ単体の、一部を省略した断面図
【図２】表示装置全体の正面図
【図３】表示装置全体の断面図
【図４】液晶ディスプレイ単体の斜視図
【符号の説明】
【００１７】
図面中、６は液晶ディスプレイ、１６〜１８はランプ（発光体）、１９は液晶、２４，２５は偏光板、２６は透光部を示す。
【図１】
2006058381.tif 000003
【図２】
2006058381.tif 000004
【図３】
2006058381.tif 000005
【図４】
2006058381.tif 000006